(57)【要約】      （修正有）【課題】ハンドオーバ時において観察される到着時間差（ＯＴＤＯＡ）連続性のための方法およびデバイスを提供する。【解決手段】第１のサービス提供セルによってサービス提供されることに応じて、ネットワークからの支援データで提供されるタイミング・オフセットの第１のセットを受信することを含みうる。第２のサービス提供セルへハンドオーバされることに応じて、タイミング・オフセットの第１のセットから、タイミング・オフセットの第２のセットを導出することを含みうる。タイミング・オフセットの第１のセットにしたがって、検出された第１の信号の、測定された到着時間差（ＴＤＯＡ）値を調節することと、および／または、タイミング・オフセットの第２のセットにしたがって、検出された第２の信号の、測定されたＴＤＯＡ値を調節することと、を含みうる。【選択図】図６
2014140198.tif 000002
【特許請求の範囲】
【請求項１】
無線ネットワーク内のモバイル・エンティティ（ＭＥ）によって動作可能な方法であって、
前記ＭＥが、第１のサービス提供セルによってサービス提供されることに応じて、前記無線ネットワークからの支援データで提供されるタイミング・オフセットの第１のセットを受信することと、ここで、前記タイミング・オフセットの第１のセットは、第１の基準セルに関連している、
前記ＭＥが、第２のサービス提供セルへハンドオーバされることに応じて、前記タイミング・オフセットの第１のセットから、タイミング・オフセットの第２のセットを導出することと、ここで、前記タイミング・オフセットの第２のセットは、第２の基準セルに関連している、
を備える方法。
【請求項２】
前記タイミング・オフセットの第２のセットを導出することは、前記第１の基準セルと前記第２の基準セルとの間のタイミング差をおのおののオフセットへ加えることを備える、請求項１に記載の方法。
【請求項３】
前記タイミング差は、前記無線ネットワークからの支援データに少なくとも部分的に基づく、請求項２に記載の方法。
【請求項４】
前記タイミング差は、ハンドオーバ手順の一部として前記ＭＥによってなされる測定に少なくとも部分的に基づく、請求項２に記載の方法。
【請求項５】
前記タイミング差は、ハンドオーバ手順に関連する前記無線ネットワークから受信される、請求項２に記載の方法。
【請求項６】
前記第１の基準セルは、前記第２の基準セルを備える、請求項１に記載の方法。
【請求項７】
前記タイミング・オフセットの第１のセットにしたがって、検出された第１の信号の、測定された到着時間差（ＴＤＯＡ）値を調節することをさらに備える、請求項１に記載の方法。
【請求項８】
前記タイミング・オフセットの第２のセットにしたがって、検出された第２の信号の、測定された到着時間差（ＴＤＯＡ）値を調節することをさらに備える、請求項１に記載の方法。
【請求項９】
前記検出された第２の信号の、測定されたＴＤＯＡ値を調節することは、
前記第２のサービス提供セルと前記第１の基準セルとの間の与えられたタイミング・オフセットを計算することと、
前記検出された第２の信号の、測定されたＴＤＯＡ値に、前記与えられたタイミング・オフセットを加えることと、
を備える請求項８に記載の方法。
【請求項１０】
前記タイミング・オフセットの第１のセットは、前記第１のサービス提供セルのネットワーク・インフラストラクチャ・エンティティから受信される、請求項１に記載の方法。
【請求項１１】
前記ネットワーク・インフラストラクチャ・エンティティは、イボルブド・サービス提供モバイル・ロケーション・センタ（Ｅ−ＳＭＬＣ）サーバを備える、請求項１に記載の方法。
【請求項１２】
前記Ｅ−ＳＭＬＣは、イボルブド・ノードＢ（ｅＮＢ）と動作可能に通信する、請求項１１に記載の方法。
【請求項１３】
装置であって、
（ａ）ＭＥが、第１のサービス提供セルによってサービス提供されることに応じて、無線ネットワークからの支援データで提供されるタイミング・オフセットの第１のセットを受信し、ここで、前記タイミング・オフセットの第１のセットは、第１の基準セルに関連している、
（ｂ）前記ＭＥが、第２のサービス提供セルへハンドオーバされることに応じて、前記タイミング・オフセットの第１のセットから、タイミング・オフセットの第２のセットを導出し、ここで、前記タイミング・オフセットの第２のセットは、第２の基準セルに関連している、
ように構成された少なくとも１つのプロセッサと、
前記少なくとも１つのプロセッサに接続されたメモリと、
を備える装置。
【請求項１４】
前記少なくとも１つのプロセッサは、前記第１の基準セルと前記第２の基準セルとの間のタイミング差をおのおののオフセットへ加えることによって、前記タイミング・オフセットの第２のセットを導出する、請求項１３に記載の装置。
【請求項１５】
前記タイミング差は、前記無線ネットワークからの支援データに少なくとも部分的に基づく、請求項１４に記載の装置。
【請求項１６】
前記タイミング差は、ハンドオーバ手順の一部として前記ＭＥによってなされる測定に少なくとも部分的に基づく、請求項１４に記載の装置。
【請求項１７】
前記タイミング差は、ハンドオーバ手順に関連する前記無線ネットワークから受信される、請求項１４に記載の装置。
【請求項１８】
前記第１の基準セルは、前記第２の基準セルを備える、請求項１３に記載の装置。
【請求項１９】
前記少なくとも１つのプロセッサは、前記タイミング・オフセットの第１のセットにしたがって、検出された第１の信号の、測定された到着時間差（ＴＤＯＡ）値を調節する、請求項１３に記載の装置。
【請求項２０】
前記少なくとも１つのプロセッサは、前記タイミング・オフセットの第２のセットにしたがって、検出された第２の信号の、測定された到着時間差（ＴＤＯＡ）値を調節する、請求項１３に記載の装置。
【請求項２１】
前記少なくとも１つのプロセッサは、
前記第２のサービス提供セルと前記第１の基準セルとの間の与えられたタイミング・オフセットを計算することと、
前記検出された第２の信号の、測定されたＴＤＯＡ値に、前記与えられたタイミング・オフセットを加えることと、
によって、前記検出された第２の信号の、測定されたＴＤＯＡ値を調節する、請求項２０に記載の装置。
【請求項２２】
前記少なくとも１つのプロセッサは、前記第１のサービス提供セルのネットワーク・インフラストラクチャ・エンティティから、前記タイミング・オフセットの第１のセットを受信する、請求項１３に記載の装置。
【請求項２３】
前記ネットワーク・インフラストラクチャ・エンティティは、イボルブド・サービス提供モバイル・ロケーション・センタ（Ｅ−ＳＭＬＣ）サーバを備える、請求項２２に記載の装置。
【請求項２４】
前記Ｅ−ＳＭＬＣは、イボルブド・ノードＢ（ｅＮＢ）と動作可能に通信する、請求項２３に記載の装置。
【請求項２５】
装置であって、
ＭＥが、第１のサービス提供セルによってサービス提供されることに応じて、無線ネットワークからの支援データで提供されるタイミング・オフセットの第１のセットを受信する手段と、ここで、前記タイミング・オフセットの第１のセットは、第１の基準セルに関連している、
前記ＭＥが、第２のサービス提供セルへハンドオーバされることに応じて、前記タイミング・オフセットの第１のセットから、タイミング・オフセットの第２のセットを導出する手段と、ここで、前記タイミング・オフセットの第２のセットは、第２の基準セルに関連している、
を備える装置。
【請求項２６】
前記第１の基準セルと前記第２の基準セルとの間のタイミング差をおのおののオフセットへ加える手段をさらに備える、請求項２５に記載の装置。
【請求項２７】
前記タイミング差は、前記無線ネットワークからの支援データに少なくとも部分的に基づく、請求項２６に記載の装置。
【請求項２８】
前記タイミング差は、ハンドオーバ手順の一部として前記ＭＥによってなされる測定に少なくとも部分的に基づく、請求項２６に記載の装置。
【請求項２９】
前記タイミング差は、ハンドオーバ手順に関連する前記無線ネットワークから受信される、請求項２６に記載の装置。
【請求項３０】
前記第１の基準セルは、前記第２の基準セルを備える、請求項２５に記載の装置。
【請求項３１】
前記タイミング・オフセットの第１のセットにしたがって、検出された第１の信号の、測定された到着時間差（ＴＤＯＡ）値を調節する手段をさらに備える、請求項２５に記載の装置。
【請求項３２】
前記タイミング・オフセットの第２のセットにしたがって、検出された第２の信号の、測定された到着時間差（ＴＤＯＡ）値を調節する手段をさらに備える、請求項２５に記載の装置。
【請求項３３】
前記第２のサービス提供セルと前記第１の基準セルとの間の与えられたタイミング・オフセットを計算する手段と、
前記検出された第２の信号の測定されたＴＤＯＡ値に、前記与えられたタイミング・オフセットを加える手段と、
をさらに備える請求項３２に記載の装置。
【請求項３４】
前記第１のサービス提供セルのネットワーク・インフラストラクチャ・エンティティから、前記タイミング・オフセットの第１のセットを受信する手段をさらに備える、請求項２５に記載の装置。
【請求項３５】
前記ネットワーク・インフラストラクチャ・エンティティは、イボルブド・サービス提供モバイル・ロケーション・センタ（Ｅ−ＳＭＬＣ）サーバを備える、請求項３４に記載の装置。
【請求項３６】
前記Ｅ−ＳＭＬＣは、イボルブド・ノードＢ（ｅＮＢ）と動作可能に通信する、請求項３５に記載の装置。
【請求項３７】
コンピュータ・プログラム製品であって、
コンピュータに対して、
ＭＥが、第１のサービス提供セルによってサービス提供されることに応じて、無線ネットワークからの支援データで提供されるタイミング・オフセットの第１のセットを受信することと、ここで、前記タイミング・オフセットの第１のセットは、第１の基準セルに関連している、
前記ＭＥが、第２のサービス提供セルへハンドオーバされることに応じて、前記タイミング・オフセットの第１のセットから、タイミング・オフセットの第２のセットを導出することと、ここで、前記タイミング・オフセットの第２のセットは、第２の基準セルに関連している、
を実行させるためのコードを備えるコンピュータ読取可能な媒体を備える、コンピュータ・プログラム製品。
【請求項３８】
前記コンピュータ読取可能な媒体はさらに、前記コンピュータに対して、前記第１の基準セルと前記第２の基準セルとの間のタイミング差をおのおののオフセットへ加えることを実行させるためのコードを備える、請求項３７に記載のコンピュータ・プログラム製品。
【請求項３９】
前記タイミング差は、前記無線ネットワークからの支援データに少なくとも部分的に基づく、請求項３８に記載のコンピュータ・プログラム製品。
【請求項４０】
前記タイミング差は、ハンドオーバ手順の一部として前記ＭＥによってなされる測定に少なくとも部分的に基づく、請求項３８に記載のコンピュータ・プログラム製品。
【請求項４１】
前記タイミング差は、ハンドオーバ手順に関連する前記無線ネットワークから受信される、請求項３８に記載のコンピュータ・プログラム製品。
【請求項４２】
前記第１の基準セルは、前記第２の基準セルを備える、請求項３７に記載のコンピュータ・プログラム製品。
【請求項４３】
前記コンピュータ読取可能な媒体はさらに、前記コンピュータに対して、前記タイミング・オフセットの第１のセットにしたがって、検出された第１の信号の、測定された到着時間差（ＴＤＯＡ）値を調節することを実行させるためのコードを備える、請求項３７に記載のコンピュータ・プログラム製品。
【請求項４４】
前記コンピュータ読取可能な媒体はさらに、前記コンピュータに対して、前記タイミング・オフセットの第２のセットにしたがって、検出された第２の信号の、測定された到着時間差（ＴＤＯＡ）値を調節することを実行させるためのコードを備える、請求項３７に記載のコンピュータ・プログラム製品。
【請求項４５】
前記コンピュータ読取可能な媒体はさらに、
前記コンピュータに対して、
前記第２のサービス提供セルと前記第１の基準セルとの間の与えられたタイミング・オフセットを計算することと、
前記検出された第２の信号の、測定されたＴＤＯＡ値に、前記与えられたタイミング・オフセットを加えることと、
を実行させるためのコードを備える、請求項４４に記載のコンピュータ・プログラム製品。
【請求項４６】
前記タイミング・オフセットの第１のセットは、前記第１のサービス提供セルのネットワーク・インフラストラクチャ・エンティティから受信される、請求項３７に記載のコンピュータ・プログラム製品。
【請求項４７】
前記ネットワーク・インフラストラクチャ・エンティティは、イボルブド・サービス提供モバイル・ロケーション・センタ（Ｅ−ＳＭＬＣ）サーバを備える、請求項４６に記載のコンピュータ・プログラム製品。
【請求項４８】
前記Ｅ−ＳＭＬＣは、イボルブド・ノードＢ（ｅＮＢ）と動作可能に通信する、請求項４７に記載のコンピュータ・プログラム製品。
【発明の詳細な説明】
【優先権主張】
【０００１】
本特許出願は、本明細書の譲受人に譲渡され、本明細書に参照によって明確に組み込まれた「基準タイムラインの変更時において観察される到着時間差（ＯＴＤＯＡ）位置決めの連続性のための支援データの管理」（MANAGEMENT OF ASSISTANCE DATA FOR CONTINUITY OF OBSERVED TIME DIFFERENCE OF ARRIVAL (OTDOA) POSITIONING AT CHANGE OF REFERENCE TIMELINE）と題された２００９年１０月９日出願の仮出願番号６１／２５０，２３０に対する優先権を主張する。
【技術分野】
【０００２】
本願は、一般に、無線通信に関し、さらに詳しくは、ハンドオーバ時において観察される到着時間差（ＯＴＤＯＡ：observed time difference of arrival）連続性のためのシステムおよび方法に関する。
【背景技術】
【０００３】
第３世代パートナシップ計画ロング・ターム・イボリューション（ＬＴＥ）は、セルラ技術における主要な進歩を呈しており、グローバル移動体通信システム（ＧＳＭ（登録商標））およびユニバーサル・モバイル・テレコミュニケーション・システム（ＵＭＴＳ）の自然発展形として、セルラ３Ｇサービスにおいて先行する次のステップである。ＬＴＥは、最大で毎秒５０メガビット（Ｍｂｐｓ）のアップリンク速度と、最大で１００Ｍｂｐｓのダウンリンク速度とを提供し、セルラ・ネットワークに対して多くの技術的な利点をもたらす。ＬＴＥは、高速なデータおよびメディア伝送のみならず、高いキャパシティの音声サポートに対するキャリア・ニーズを満足するように設計されている。帯域幅は、１．２５ＭＨｚから２０ＭＨｚまでスケール可能である。これは、異なる帯域幅割当を有する異なるネットワーク・オペレータのニーズに適合し、また、オペレータが、スペクトルに基づいて異なるサービスを提供することを可能にする。ＬＴＥはまた、３Ｇネットワークにおけるスペクトル効率を高め、もって、キャリアが、与えられた帯域幅で、より多くのデータ・サービスおよび音声サービスを提供することを可能にすることが期待されている。ＬＴＥは、高速データ・サービス、マルチメディア・ユニキャスト・サービス、およびマルチメディア・ブロードキャスト・サービスを含む。
【０００４】
ＬＴＥ物理レイヤ（ＰＨＹ）は、イボルブド・ノードＢ（ｅＮＢ）と、例えばアクセス端末（ＡＴ）またはユーザ機器（ＵＥ）のようなモバイル・エンティティ（ＭＥ）との間で、データと制御情報との両方を伝送する非常に効率的な手段である。ＬＴＥ  ＰＨＹは、セルラ・アプリケーションに新しい、いくつかの先進技術を使用する。これらは、直交周波数分割多重（ＯＦＤＭ）および複数入力複数出力（ＭＩＭＯ）データ送信を含んでいる。さらに、ＬＴＥ  ＰＨＹは、ダウンリンク（ＤＬ）において直交周波数分割多元接続（ＯＦＤＭＡ）を用い、アップリンク（ＵＬ）においてシングル・キャリア周波数分割多元接続（ＳＣ−ＦＤＭＡ）を用いる。ＯＦＤＭＡによって、データが、指定された数のシンボル期間にわたって、サブキャリア毎ベースで、複数のユーザとの間で送られるようになる。
【０００５】
グローバル時間基準を欠くシステム（例えば、３ＧＰＰシステム）では、観察される到着時間差（ＯＴＤＯＡ）のための基準タイムラインは、例えば、位置決めされるべきＭＥにサービス提供する第１のセルのような特定のネットワーク要素のタイミングに基づきうる。支援データの受信後、ＭＥの第２のセルへのハンドオーバは、２つのセルに関連付けられた異なるタイムラインによって、この支援データを無効にしうる。したがって、第２のセルに関する情報にしたがって、到着時間差（ＴＤＯＡ）値の計算を調節し、もって、ハンドオーバ時におけるＯＴＤＯＡ連続性を達成することが望ましいであろう。
【発明の概要】
【０００６】
１または複数の実施形態および対応する開示によれば、さまざまな態様は、ハンドオーバ時において観察される到着時間差（ＯＴＤＯＡ）連続性のための方法に関して記載される。この方法は、無線ネットワーク内のモバイル・エンティティ（ＭＥ）によって実行され、ＭＥが、第１のサービス提供セルによってサービス提供されることに応じて、ネットワークからの支援データで提供されるタイミング・オフセットの第１のセットを受信することを含みうる。タイミング・オフセットの第１のセットは、第１の基準セルに関連しうる。この方法は、ＭＥが、第２のサービス提供セルへハンドオーバされることに応じて、タイミング・オフセットの第１のセットから、タイミング・オフセットの第２のセットを導出することを含みうる。タイミング・オフセットの第２のセットは、第２の基準セルに関連しうる。この方法はオプションとして、タイミング・オフセットの第１のセットにしたがって、検出された第１の信号の、測定された到着時間差（ＴＤＯＡ）値を調節することと、および／または、タイミング・オフセットの第２のセットにしたがって、検出された第２の信号の、測定されたＴＤＯＡ値を調節することと、を含みうる。
【０００７】
関連する態様では、タイミング・オフセットの第２のセットを導出することは、第１の基準セルと第２の基準セルとの間のタイミング差をおのおののオフセットへ加えることを含みうる。例えば、このタイミング差は、ネットワークからの支援データに少なくとも部分的に基づきうる。別の例では、このタイミング差は、ハンドオーバ手順の一部としてＭＥによってなされる測定に少なくとも部分的に基づきうる。また別の例では、このタイミング差は、ハンドオーバ手順に関連するネットワークから受信されうる。
【０００８】
関連するさらなる態様では、第１の基準セルは、第２の基準セルを備えうる。検出された第２の信号の、測定されたＴＤＯＡ値を調節することは、第２のサービス提供セルと第１の基準セルとの間の与えられたタイミング・オフセットを計算することのみならず、検出された第２の信号の測定されたＴＤＯＡ値に、与えられたタイミング・オフセットを加えることを含みうる。さらに関連する態様では、電子デバイスが、上述された方法を実行するように構成されうる。
【０００９】
１または複数の実施形態および対応する開示によれば、さまざまな態様が、ハンドオーバ時におけるＯＴＤＯＡ連続性のための装置に関連して記載される。この装置は、ＭＥが、第１のサービス提供セルによってサービス提供されることに応じて、無線ネットワークからの支援データで提供されるタイミング・オフセットの第１のセットを受信するための電子構成要素を含みうる。ここで、タイミング・オフセットの第１のセットは、第１の基準セルに関連している。この装置はまた、ＭＥが、第２のサービス提供セルへハンドオーバされることに応じて、タイミング・オフセットの第１のセットから、タイミング・オフセットの第２のセットを導出するための電子構成要素を含みうる。ここで、タイミング・オフセットの第２のセットは、第２の基準セルに関連している。この装置は、オプションとして、タイミング・オフセットの第１のセットにしたがって、検出された第１の信号の、測定された到着時間差（ＴＤＯＡ）値を調節するための電子構成要素、および／または、タイミング・オフセットの第２のセットにしたがって、検出された第２の信号の、測定されたＴＤＯＡ値を調節するための電子構成要素を含みうる。
【００１０】
前述した目的および関連する目的を達成するために、１または複数の態様は、後に十分説明され、特許請求の範囲で特に指摘される特徴を備える。以下の記述および関連図面は、ある例示的な態様をより詳細に説明し、これら態様の原理が適用されるさまざまな方式のうちの少数を示す。図面とともに考慮された場合、以下の詳細記載から、その他の新規な特徴が明らかになるであろう。そして、開示された態様は、そのようなすべての態様およびそれらの均等物を含むことが意図されている。
【図面の簡単な説明】
【００１１】
【図１】図１は、多元接続無線通信システムを例示する。
【図２】図２は、通信システムのブロック図を例示する。
【図３】図３は、多くのユーザをサポートするように構成された無線通信システムを例示する。
【図４】図４は、ネットワーク環境内のフェムト・ノードの配置を可能にする典型的な通信システムを例示する。
【図５】図５は、定義されたいくつかのトラッキング・エリアを備える有効通信範囲マップの例を例示する。
【図６】図６は、タイムラインのミスアライメントを有する無線ネットワークのためのコール・フロー図である。
【図７】図７は、正確なタイムライン・アラインメントを達成するためにタイミング・オフセットを適用する無線ネットワークのためのコール・フロー図である。
【図８】図８は、ハンドオーバ時において観察される到着時間差（ＯＴＤＯＡ）連続性のための方法の例を例示する。
【図９】図９は、図８の方法のさらなる態様を示す。
【図１０】図１０は、図８の方法のさらなる態様を示す。
【図１１】図１１は、ハンドオーバ時におけるＯＴＤＯＡ連続性のための典型的な装置を例示する。
【図１２】図１２は、図１１の装置のさらなる態様を示す。
【発明を実施するための形態】
【００１２】
さまざまな実施形態が、全体を通じて同一要素を示すために同一の参照番号が使用される図面を参照して説明される。次の記載では、説明の目的のために、多数の特定の詳細が、１または複数の実施形態についての完全な理解を提供するために記載される。しかしながら、このような実施形態は、これら具体的な詳細無しで実現されうることが明からである。他の事例では、１または複数の実施形態の記載を容易にするために、周知の構成およびデバイスがブロック図形式で示される。
【００１３】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡネットワーク等のようなさまざまな無線通信ネットワークのために使用される。「システム」、「ネットワーク」という用語は、しばしば置換可能に使用される。ＣＤＭＡネットワークは、例えば、ユニバーサル地上ラジオ・アクセス（ＵＴＲＡ）、ＣＤＭＡ２０００等のようなラジオ技術を実現しうる。ＵＴＲＡは、広帯域ＣＤＭＡ（Ｗ−ＣＤＭＡ）および低チップ・レート（ＬＣＲ）を含んでいる。ＣＤＭＡ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実施することができる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳのリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ＣＤＭＡ２０００は、「第３世代パートナシップ計画２」（３ＧＰＰ２）と命名された組織からの文書に記載されている。これらさまざまなラジオ技術および規格は、当該技術分野において知られている。明確にするために、これら技術のある態様は、以下において、ＬＴＥについて記載されており、ＬＴＥ用語が以下の説明の多くで使用される。
【００１４】
シングル・キャリア周波数分割多元接続（ＳＣ−ＦＤＭＡ）は、シングル・キャリア変調および周波数領域等値化を利用する技術である。ＳＣ−ＦＤＭＡは、ＯＦＤＭＡシステムと同じ性能、および実質的に同じ全体的な複雑さを有する。ＳＣ−ＦＤＭＡ信号は、固有のシングル・キャリア構造により、低いピーク対平均電力比（ＰＡＰＲ）を有する。ＳＣ−ＦＤＭＡは、送信電力効率の観点において、低ＰＡＰＲがモバイル端末に大いに有益となるアップリンク通信において、特に大きな注目を集めた。ＳＣ−ＦＤＭＡは、３ＧＰＰ  ＬＴＥ、または、イボルブドＵＴＲＡにおけるアップリンク多元接続のために使用される。
【００１５】
図１に示すように、１つの実施形態にしたがう多元接続無線通信システムが例示される。アクセス・ポイント１００（ＡＰ）（例えば、基地局、イボルブド・ノードＢ（ｅＮＢ）等）は、複数のアンテナ・グループを含んでいる。１つは１０４、１０６を含み、他のものは１０８、１１０を含み、さらに他のものは１１２、１１４を含む。図１では、おのおののアンテナ・グループについて２本のアンテナしか示されていない。しかしながら、おのおののアンテナ・グループについて、それより多くまたはそれより少ないアンテナが利用されうる。モバイル・エンティティ（ＭＥ）１１６はアンテナ１１２、１１４と通信している。ここで、アンテナ１１２、１１４は、順方向リンク１２０でＭＥ１１６に情報を送信し、逆方向リンク１１８でＭＥ１１６から情報を受信する。ＭＥ１２２は、アンテナ１０６、１０８と通信し、ここで、アンテナ１０６、１０８は順方向リンク１２６でＭＥ１２２に情報を送信し、逆方向リンク１２４でＭＥ１２２から情報を受信する。周波数分割デュプレクス（ＦＤＤ）システムでは、通信リンク１１８、１２０、１２４および１２６は、通信のために異なる周波数を使用しうる。例えば、順方向リンク１２０は、逆方向リンク１１８によって使用されるものとは異なる周波数を使用することができる。
【００１６】
通信するように設計された領域および／またはアンテナのおのおののグループは、しばしば、アクセス・ポイントのセクタと称される。この実施形態では、おのおののアンテナ・グループは、アクセス・ポイント１００によってカバーされる領域のセクタ内のＭＥと通信するように設計される。
【００１７】
順方向リンク１２０、１２６による通信では、アクセス・ポイント１００の送信アンテナは、他のＭＥ１１６、１２４の順方向リンクの信号対雑音比を改善するためにビームフォーミングを利用する。さらに、有効範囲領域にわたってランダムに散在するＭＥへ送信するためにビームフォーミングを用いるアクセス・ポイントは、ＭＥのすべてへと単一のアンテナによって送信するアクセス・ポイントよりも、近隣のセル内のＭＥに対して少ない干渉しかもたらさない。
【００１８】
アクセス・ポイントは、端末と通信するために使用される固定局であり、アクセス・ポイント、ノードＢ、ｅＮＢ、あるいはその他幾つかの専門用語でも称されうる。ＭＥは、アクセス端末（ＡＴ）、ユーザ機器（ＵＥ）、無線通信デバイス、端末等とも称されうる。
【００１９】
図２は、ＭＩＭＯシステム２００における送信機システム２１０（アクセス・ポイントとしても知られている）および受信機システム２５０（ＭＥとしても知られている）の実施形態のブロック図である。送信機システム２１０では、多くのデータ・ストリーム用のトラフィック・データが、データ・ソース２１２から送信（ＴＸ）データ・プロセッサ２１４に提供される。
【００２０】
実施形態では、おのおののデータ・ストリームが、それぞれの送信アンテナを介して送信される。ＴＸデータ・プロセッサ２１４は、符号化されたデータを提供するために、データ・ストリームについて選択された特定の符号化スキームに基づいて、各データ・ストリームのためのトラフィック・データをフォーマットし、符号化し、インタリーブする。
【００２１】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームの多重化されたパイロットおよび符号化されたデータは、その後、データ・ストリームのために選択された特定の変調スキーム（例えば、バイナリ・フェーズ・シフト・キーイング（ＢＳＰＫ）、ｍアレイ・フェーズ・シフト・キーイング（Ｍ−ＰＳＫ）、または、マルチ・レベル直交振幅変調（Ｍ−ＱＡＭ））に基づいて変調（すなわち、シンボル・マップ）され、変調シンボルが提供される。おのおののデータ・ストリームのデータ・レート、符号化、および変調は、メモリ２３２と動作可能に通信しうるプロセッサ２３０によって実行される命令群によって決定されうる。
【００２２】
データ・ストリームの変調シンボルはその後、ＴＸ  ＭＩＭＯプロセッサ２２０へ提供される。ＴＸ  ＭＩＭＯプロセッサ２２０はさらに、（例えばＯＦＤＭのため）変調シンボルを処理する。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある実施形態では、ＴＸ  ＭＩＭＯプロセッサ２２０は、データ・ストリームのシンボル、および、そのシンボルが送信されるアンテナへ、ビームフォーミング重みを適用する。
【００２３】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００２４】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００２５】
ＲＸデータ・プロセッサ２６０は、ＮＲ個の受信機２５４からＮＲ個のシンボル・ストリームを受信し、受信したＮＲ個のシンボル・ストリームを、特定の受信機処理技術に基づいて処理して、ＮＴ個の検出済みシンボル・ストリームを提供する。ＲＸデータ・プロセッサ２６０は、その後、検出されたおのおののシンボル・ストリームを復調し、デインタリーブし、復号して、そのデータ・ストリームのためのトラフィック・データを復元する。ＲＸデータ・プロセッサ２６０によるこの処理は、基地局２１０におけるＴＸ  ＭＩＭＯプロセッサ２２０およびＴＸデータ・プロセッサ２１４によって実行されるものに相補的である。
【００２６】
プロセッサ２７０は、上述したように、どのプリコーディング行列を使用するのかを定期的に決定する。プロセッサ２７０は、行列インデクス部およびランク値部を備えた逆方向リンク・メッセージを規定することができ、メモリ２７２と動作可能に通信しうる。
【００２７】
逆方向リンク・メッセージは、通信リンクおよび／または受信されたデータ・ストリームに関するさまざまなタイプの情報を備えうる。逆方向リンク・メッセージは、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００２８】
送信機システム２１０では、受信機システム２５０からの変調信号がアンテナ２２４によって受信され、受信機２２２によって調整され、復調器２４０によって復調され、ＲＸデータ・プロセッサ２４２によって処理されることによって、受信機システム２５０によって送信された逆方向リンク・メッセージが抽出される。さらに、プロセッサ２３０は、ビームフォーミング重みを決定するためにどのプリコーディング行列を使用するかを決定し、その後、この抽出されたメッセージを処理する。
【００２９】
図３は、多くのユーザをサポートするように構成され、本明細書に記載された教示が実施される無線通信システム３００を例示する。このシステム３００は、例えばマクロ・セル３０２ａ−３０２ｇのような複数のセル３０２のための通信を提供する。ここで、各セルは、対応するアクセス・ノード３０４（例えば、アクセス・ノード３０４ａ−３０４ｇ）によってサービス提供される。図２に示すように、ＭＥ３０６（例えば、ＭＥ３０６ａ−３０６ｌ）は、経時的にシステム内のさまざまな位置に分布しうる。おのおののＭＥ３０６は、例えば、ＭＥ３０６がアクティブであるか、および、ソフト・ハンドオフにあるかに依存して、所与の瞬間において、順方向リンク（“ＦＬ”）および／または逆方向リンク（“ＲＬ”）によって、１または複数のアクセス・ノード３０４と通信しうる。無線通信システム３００は、大規模な地理的領域にわたってサービスを提供しうる。例えば、マクロ・セル３０２ａ−３０２ｇは、近隣の少数のブロックをカバーしうる。
【００３０】
図４は、１または複数のフェムト・ノードがネットワーク環境内で展開されている典型的な通信システム４００を例示する。具体的には、システム４００は、（例えば、１または複数のユーザ住宅４３０内のような）比較的小規模スケールのネットワーク環境に搭載された複数のフェムト・ノード４１０（例えば、フェムト・ノード４１０ａ、４１０ｂ）を含む。おのおののフェムト・ノード４１０は、ＤＳＬルータ、ケーブル・モデム、無線リンク、あるいは（図示しない）その他の接続手段を介して、広域ネットワーク４４０（例えば、インターネット）およびモバイル・オペレータ・コア・ネットワーク４５０へ接続されうる。おのおののフェムト・ノード４１０は、関連付けられたＭＥ４２０ａに、また、オプションとして、外部のＭＥ４２０ｂにサービス提供するように構成されうる。言い換えれば、フェムト・ノード（単数または複数）４１０へのアクセスが制限され、これによって、所与のＭＥ４２０が、指定された（例えば、住宅のような）フェムト・ノード（単数または複数）のセットによってサービス提供されうるが、（例えば、近隣のフェムト・ノードのように）指定されていないフェムト・ノードによってはサービス提供されない。
【００３１】
図５は、おのおのがいくつかのマクロ有効通信範囲エリア５０４を含むいくつかのトラッキング・エリア５０２（または、ルーティング・エリアあるいはロケーション・エリア）が定義された有効通信範囲マップ５００の例を示す。ここでは、トラッキング・エリア５０２ａ、５０２ｂ、５０２ｃに関連付けられた有効通信範囲のエリアが、太線によって線引きされ、マクロ有効通信範囲エリア５０４が六角形によって示されている。トラッキング・エリア５０２は、フェムト有効通信範囲エリア５０６をも含んでいる。この例において、フェムト有効通信範囲エリア５０６（例えば、フェムト有効通信範囲エリア５０６Ｃ）のおのおのは、マクロ有効通信範囲エリア５０４（例えば、マクロ有効通信範囲エリア５０４ｂ）内に図示される。しかしながら、フェムト有効通信範囲エリア５０６は、マクロ有効通信範囲エリア５０４内に全体が位置していなくても良いことが認識されるべきである。実際、所与のトラッキング・エリア５０２またはマクロ有効通信範囲エリア５０４を用いて、極めて多くのフェムト有効通信範囲エリア５０６が定義される。さらに、１または複数のピコ有効通信範囲エリア（図示せず）が、所与のトラッキング・エリア５０２またはマクロ有効通信範囲エリア５０４内で定義されうる。
【００３２】
本明細書に記載された実施形態は、観察された到着時間差（ＯＴＤＯＡ）位置決めの際に使用される、格納された支援データを調節するための技術を示し、これによって、たとえ測定のために使用される基準タイムラインが変化しようとも、位置決め動作を行うことが可能となる。ＯＴＤＯＡは一般に、時間差を測定することを含む。ここでは、測定された時間差が、与えられた基準タイムラインに関するオフセットとして、支援データで提供されうる。例えば、ＣＤＭＡ２０００システムにおける類似の位置決め方法であるアドバンスト順方向リンク三辺測量術（ＡＦＬＴ）では、基準タイムラインは、ＣＤＭＡシステム時間である。これは、セル毎に変わることはない。しかしながら、他のシステムでは、異なる基地局のタイミングが異なる、いわゆる「非同期」構成では特に、基準タイムラインは、例えば、位置決めされるべきＭＥに現在サービス提供しているセルのような特定のネットワーク要素のタイミングに基づきうる。このようなシナリオでは、支援データの受信後、ＭＥの第１のセルから第２のセルへのハンドオーバは、支援データを無効にしうる。なぜなら、タイミング情報は、第１のセルのタイムラインに関連しているからである。ＭＥは、第２のセルでは、潜在的に、別のタイムラインに揃えられうる。
【００３３】
図６を参照して、このようなタイムラインのミスアライメントが、どのようにして不正確な位置決めになりうるのかを示すコール・フロー図が提供される。例えば、無線ネットワーク６００は、ＭＥ６０２を含みうる。これは、セルＡのためのネットワーク・インフラストラクチャ・エンティティ６０４（例えば、ｅＮＢ）、または、セルＢのためのインフラストラクチャ・エンティティ６０６（例えば、ｅＮＢ）と動作可能に通信する。インフラストラクチャ・エンティティ６０４、６０６のうちの１つまたは両方は、例えば、イボルブド・サービス提供モバイル・ロケーション・センタ（Ｅ−ＳＭＬＣ）サーバ等のようなサーバ６０８と動作可能に通信しうる。
【００３４】
セルＡおよびセルＢは、異なるｅＮＢによって動作されるべきであると仮定される。さもなければ、これらの送信タイミングは、同じであり、問題が生じないであろう可能性が極めて高い。（図示しない）セルＸおよびセルＹの基準信号は、サービス提供セルに関するＴＤＯＡを決定するために測定されうる。
【００３５】
例えば、６１０において、ＭＥ６０２は、セルＡ内で接続されうる。６１２において、ＭＥは、支援データ要求を、インフラストラクチャ・エンティティ（例えば、６０４または６０６）へ送信しうる。インフラストラクチャ・エンティティは、この支援データ要求をサーバ６０８へ送信しうる。６１４において、サーバ６０８は、ＭＥ６０２へ、支援データを（セルＡに関するタイミングとともに）送信しうる。
【００３６】
ＭＥによって受信された支援データは、ＭＥが測定しうるおのおののセルのタイミング情報を含みうる。ＬＴＥでは、例えば、このタイミング情報は、サービス提供セルに関するオフセットとして与えられうる。すなわち、セルＡ、Ｂ、Ｃ等が、共通のタイムラインと比較してそれぞれ絶対的なオフセットＴＡ、ＴＢ、ＴＣ等を有しているのであれば、セルＡによってＭＥがサービス提供されている場合に配信される支援データが、サービス提供セルに関するセルのタイミング・オフセットを計算するために使用されうるセルＡによってサービス提供されうる。例えば、相対的なオフセットは、セルＢの場合、ＴＢ−ＴＡであり、セルＣの場合、ＴＣ−ＴＡである等である。
【００３７】
６１６において、ＭＥは、セルＡに対してセルＸの検出された信号のＴＤＯＡを測定しうる。セルＸとセルＡ（サービス提供セル）との間のＴＤＯＡを決定するために、ＭＥは、送信時間差を補償するために、セルＸからの信号の観察された到着時間を、この場合（ＴＸ−ＴＡである）適切な相対オフセットまで調節しうる。この結果は、セルＸとセルＡとの間のＴＤＯＡの正確な測定値となる。
【００３８】
しかしながら、６１８におけるセルＢへのハンドオーバの後、支援データにおけるタイミング・オフセットが更新されていない場合、ＭＥは、もはや、観察された到着時間に適用するための正確な情報を持たない。ＭＥがこのハンドオーバを補償するために何の動作も講じないのであれば、６２０において、セルＹとサービス提供セル（現在、セルＢ）との間のＴＤＯＡを測定した場合、ＭＥは、正しい値（ＴＹ−ＴＢ）ではなく、あたかも未だにセルＡと比較しているかのように、観察された到着時間を、（ＴＹ−ＴＡ）まで調節しうる。６２２では、ＭＥは、セルＹのための不正確な送信時間を仮定しているので、この結果は、セルＹとセルＢとの間のＴＤＯＡについてレポートされた不正確な値となる。
【００３９】
ＬＴＥシステムの特定の場合では、観察される到着時間差（ＯＴＤＯＡ）位置決めは、同期構成および非同期構成の両方において動作するように設計されうる。したがって、上述した問題は、ＬＴＥ構成の場合、特に、非同期システムの場合に生じうるが、同期が正確なＯＴＤＯＡ位置決めをサポートするほど良好ではない名目的な同期構成の場合にも潜在的に生じうる。
【００４０】
上述された問題は、ＭＥが、受信した支援データを、（基準セルとしても使用されているサービス提供セルのものである）一貫性のあるタイムラインに関連付け、測定されたセルの送信タイミングに関する仮定を、単一のタイムラインに基づかせるというアイデアを根底に持っている。この問題に対処するための１つのアプローチは、ＭＥの「基準」タイムラインを動的にすることを含み、ＭＥは、ハンドオーバ時に、例えば−（ＴＢ−ＴＡ）のような適切な値まで、自己の内部「基準」タイムラインをシフトさせうる。この結果、セルＹが測定されている場合、ＭＥは、（ＴＹ−ＴＡ）−（ＴＢ−ＴＡ）＝（ＴＹ−ＴＢ）からなる送信タイミングのためのオフセットを加える。これは、実際、正しいオフセットである。実際、この処理は、セルＡからセルＢへと基準セルを変更することから成る。
【００４１】
図７を参照して、セルＡのためのネットワーク・インフラストラクチャ・エンティティ７０４と、または、セルＢのためのインフラストラクチャ・エンティティ７０６と、動作可能に通信するＭＥ７０２を含む無線ネットワーク７００が例示されている。インフラストラクチャ・エンティティ７０４、７０６のうちの１つまたは両方は、サーバ７０８（例えば、Ｅ−ＳＭＬＣサーバ）と動作可能に通信しうる。しかしながら、図６に示すネットワーク６００のＭＥ６０２とは対照的に、ネットワーク７００のＭＥ７０２は、７１９において、支援データ・タイミングを、セルＡとセルＢとの間のオフセット、すなわち、−（ＴＢ−ＴＡ）までシフトさせる。これは、基準セルをセルＢに効果的に変更する。これによって、７２０において、ＭＥ７０２は、セルＢに対するセルＹのタイミングを正しく測定できるようになる。簡潔のために、ネットワーク７００に関する詳細の残りは、これ以上詳しく述べない。しかしながら、残りの特徴および態様は、図６のネットワーク６００に関して上述したものに実質的に類似していることが理解されるべきである。
【００４２】
同じ効果により、ＭＥは、サービス提供セルに対するおのおののセルの送信タイミングを決定することをまったく試みない方式で実現されうる。そうではなく、ＭＥは、セルのペア（例えば、セルＶとセルＷ）を測定した場合、サービス提供セル内のＭＥによって保持されているタイムラインを参照することなく、かつ、サービス提供セル自身の特別な処理を何ら行うことなく、測定されたＴＤＯＡを、支援データにおいて記述されたような送信時間差によって調節しうる。このモデルでは、ＭＥの動作がもはや下部レイヤにおけるタイムラインにロックされない場合であっても、セルＡは、基準セルとして維持され、すべての時間差は、セルＡのタイムラインを参照して決定される。
【００４３】
本明細書に記載および図示された典型的なシステムを考慮すると、開示された主題にしたがって実現される方法は、さまざまなフローチャートを参照してより良く認識されるだろう。説明の単純化の目的のために、これら方法は一連の動作／ブロックとして図示および説明されているが、権利主張される主題は、いくつかのブロックが、本明細書に図示および記載されたものとは異なる順序で実行されたり、および／または、他のブロックと実質的に同時に実行されうるので、ブロックの数または順序によって限定されないことが理解および認識されるべきである。さらに、本明細書に記載された方法を実施するために、必ずしも例示されたすべてのブロックが必要とされる訳ではない。これらブロックに関連付けられた機能は、ソフトウェア、ハードウェア、これらの組み合わせ、あるいは、その他任意の適切な手段（例えば、デバイス、システム、プロセス、構成要素）によって実現されうることが認識されるべきである。それに加えて、本明細書全体にわたり開示される方法は、これら方法をさまざまなデバイスへ伝送および転送することを容易にするために、製造物品に格納されることが可能であることが認識されるべきである。当業者であれば、方法は、代わりに、例えば状態図のような一連の関連する状態またはイベントとして表現されうることを理解および認識するだろう。
【００４４】
本発明の主題の１または複数の態様によれば、ハンドオーバ時におけるＯＴＤＯＡ連続性のための方法が提供される。図８を参照して、例えばＭＥのような無線通信装置において実行されうる方法８００が例示されている。８０２では、ＭＥが、第１のサービス提供セルによってサービス提供されることに応じて、支援データで提供されるタイミング・オフセットの第１のセットが、無線ネットワークから受信されうる。タイミング・オフセットの第１のセットは、第１の基準セルに関連しうる。８０４では、オプションとして、タイミング・オフセットの第１のセットにしたがって、検出された第１の信号の、測定されたＴＤＯＡ値が調節されうる。８０６では、ＭＥが、第２のサービス提供セルへハンドオーバされることに応じて、タイミング・オフセットの第２のセットが、タイミング・オフセットの第１のセットから導出されうる。タイミング・オフセットの第２のセットは、第２の基準セルに関連しうる。８０８では、オプションとして、タイミング・オフセットの第２のセットにしたがって、検出された第２の信号の、測定されたＴＤＯＡ値が調節されうる。
【００４５】
図９を参照して、タイミング・オフセットの第２のセットを導出することは、８１０において、第１の基準セルと第２の基準セルとの間のタイミング差をおのおののオフセットへ加えることを含みうる。例えば、タイミング差を加えることは、８１２において、ネットワークからの支援データに少なくとも部分的に基づく与えられた時間差を加えることを含みうる。別の例では、タイミング差を加えることは、８１４において、ハンドオーバ手順の一部としてＭＥによってなされた測定に少なくとも部分的に基づく与えられた時間差を加えることを含みうる。また別の例では、タイミング差を加えることは、８１６において、ハンドオーバ手順に関連するネットワークから受信した与えられた時間差を加えることを含みうる。
【００４６】
図１０を参照して、１つの実施形態では、第１の基準セルは、第２の基準セルを備えているか、あるいは、第２の基準セルと同じでありうる。検出された第２の信号の測定されたＴＤＯＡ値を調節することは、８２０において、第２のサービス提供セルと第１の基準セルとの間の与えられたタイミング・オフセットを計算することを含みうる。検出された第２の信号の測定されたＴＤＯＡ値を調節することはさらに、８２２において、検出された第２の信号の測定されたＴＤＯＡ値に、与えられたタイミング・オフセットを加えることを含みうる。関連する態様では、タイミング・オフセットの第１のセットを受信することは、８３０において、例えば、Ｅ−ＳＭＬＣ等のようなネットワーク・インフラストラクチャ・エンティティからの支援データで、タイミング・オフセットの第１のセットを受信することを含みうる。ネットワーク・インフラストラクチャ・エンティティは、ｅＮＢと動作可能に通信しうる。
【００４７】
本明細書に記載された実施形態の１または複数の態様によれば、図８−１０を参照して上述したように、ハンドオーバ時におけるＯＴＤＯＡ連続性のためのデバイスおよび装置が提供される。図１１を参照して、無線ネットワークにおけるＭＥとして、あるいは、ＭＥ内で使用するためのプロセッサまたは類似のデバイスとして構成されうる典型的な装置１１００が提供される。装置１１００は、プロセッサ、ソフトウェア、またはこれらの組み合わせ（例えば、ファームウェア）によって実現される機能を表す機能ブロックを含みうる。例示されるように、１つの実施形態では、装置１１００は、ＭＥが、第１のサービス提供セルによってサービス提供されることに応じて、ネットワークからの支援データで提供されるタイミング・オフセットの第１のセットを受信するための電子構成要素またはモジュール１１０２を備えうる。タイミング・オフセットの第１のセットは、第１の基準セルに関連しうる。装置１１００は、オプションとして、タイミング・オフセットの第１のセットにしたがって、検出された第１の信号の、測定されたＴＤＯＡ値を調節するための電子構成要素１１０４を備えうる。装置１１００は、ＭＥが、第２のサービス提供セルへハンドオーバされることに応じて、タイミング・オフセットの第１のセットから、タイミング・オフセットの第２のセットを導出するための電子構成要素１１０６を備えうる。タイミング・オフセットの第２のセットは、第２の基準セルに関連しうる。装置１１００はオプションとして、タイミング・オフセットの第２のセットにしたがって、検出された第２の信号の、測定されたＴＤＯＡ値を調節するための電子構成要素１１０８を備えうる。
【００４８】
図１２を参照して、装置１１００は、第１の基準セルと第２の基準セルとの間のタイミング差をおのおののオフセットへ加えるための電子構成要素１１２０を備えうる。第１の基準セルが、第２の基準セルを備えうるか、あるいは、第２の基準セルと同じであるというシナリオに対処するために、装置１１００は、第２のサービス提供セルと第１の基準セルとの間の与えられたタイミング・オフセットを計算するための電子構成要素１１３０を備えうる。装置１１００は、検出された第２の信号の測定されたＴＤＯＡ値に、与えられたタイミング・オフセットを加えるための電子構成要素１１３２を備えうる。関連する態様では、装置１１００は、例えば、ｅＮＢ等と動作可能に通信するＥ−ＳＭＬＣのようなネットワーク・インフラストラクチャ・エンティティからの支援データで、タイミング・オフセットの第１のセットを受信するための電子構成要素１１４０を備えうる。
【００４９】
関連する態様では、装置１１００はオプションとして、少なくとも１つのプロセッサを有するプロセッサ構成要素１１１０を含みうる。装置１１００の場合、プロセッサではなく、通信ネットワーク・エンティティとして構成されている。この場合、プロセッサ１１１０は、バス１１１２または類似の通信カップリングによって、構成要素１１０２−１１４０と動作可能に通信しうる。プロセッサ１１１０は、電子構成要素１１０２−１１４０によって実行される処理または機能の開始およびスケジューリングを有効にしうる。
【００５０】
さらに関連する態様では、装置１１００は、ラジオ・トランシーバ構成要素１１１４を含みうる。トランシーバ１１１４の代わりに、あるいは、トランシーバ１１１４と連携して、スタンド・アロン受信機および／またはスタント・アロン送信機が使用されうる。装置１１００は、オプションとして、例えばメモリ・デバイス／構成要素１１１６のように、情報を格納するための構成要素を含みうる。コンピュータ読取可能な媒体またはメモリ構成要素１１１６が、バス１１１２等によって、装置１１００のその他の構成要素に動作可能に接続されうる。メモリ構成要素１１１６は、構成要素１１０２−１１４０、これらのサブ構成要素、またはプロセッサ１１１０、あるいは、本明細書で開示された方法の処理および挙動を有効にするためのコンピュータ読取可能な命令群およびデータを格納するように適応されうる。メモリ構成要素１１１６は、電子構成要素１１０２−１１４０に関連付けられた機能を実行するための命令群を保持しうる。メモリ１１１６の外側にあると示されているが、電子構成要素１１２０−１１４０は、メモリ１１１６内に存在しうることが理解されるべきである。
【００５１】
本明細書に記載された実施形態の１または複数の態様によれば、無線システムにおけるセルのペアからの信号間のＴＤＯＡ値をＭＥにおいて測定するための技術が提供される。この技術は、ＭＥが第１のサービス提供セルにある間に到着する信号のＴＤＯＡ値を測定することと、支援データのセットで提供されたタイミング・オフセットの第１のセットにしたがって、測定されたＴＤＯＡ値を調節することと、を含みうる。ここで、タイミング・オフセットの第１のセットは、第１の基準セルに関連している。この技術は、第２のサービス提供セルへのハンドオーバを実行することを含みうる。この技術は、ＭＥが第２のサービス提供セルにある間に到着する信号のＴＤＯＡ値を測定することと、タイミング・オフセットの第１のセットから導出されたタイミング・オフセットの第２のセットにしたがって、測定されたＴＤＯＡ値を調節することと、を含みうる。ここで、タイミング・オフセットの第２のセットは、第２の基準セルに関連している。
【００５２】
関連する態様では、第１の基準セルと第２の基準セルとは異なりうる。タイミング・オフセットの第２のセットは、第１の基準セルと第２の基準セルとの間のタイミング差をおのおののオフセットに加えることによって、タイミング・オフセットの第１のセットから導出される。例えば、第１の基準セルと第２の基準セルとの間のタイミング差は、支援データのセットから導出されうる。別の例において、第１の基準セルと第２の基準セルとの間のタイミング差は、ハンドオーバ手順の一部としてＭＥによって実行される測定から導出されうる。また別の例では、第１の基準セルと第２の基準セルとの間のタイミング差は、ハンドオーバ手順に関連するネットワークによってＭＥへ提供されうる。
【００５３】
関連するさらなる態様では、第１の基準セルと第２の基準セルとが類似しうる。例えば、基準セルは、第２のサービス提供セルとは異なりうる。ＭＥが第２のサービス提供セルにある間に測定された与えられたＴＤＯＡ値は、基準セルに関して、測定されたセルのオフセットまで調節されうる。
【００５４】
開示された処理におけるステップの具体的な順序または階層は、典型的なアプローチの例であることが理解される。設計選択に基づいて、これら処理におけるステップの具体的な順序または階層は、本開示のスコープ内であることを保ちながら、再構成されうることが理解される。方法請求項は、さまざまなステップの要素を、サンプル順で示しており、示された具体的な順序または階層に限定されないことが意味される。
【００５５】
当業者であれば、情報および信号は、さまざまな異なる技術および技法のうちの何れかを用いて表されうることを理解するであろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００５６】
当業者であればさらに、本明細書で開示された実施形態に関連して記載された例示的なさまざまな論理ブロック、モジュール、回路、およびアルゴリズム・ステップは、電子的なハードウェア、コンピュータ・ソフトウェア、あるいはこれら両方の組み合わせとして実現されることを認識するであろう。ハードウェアとソフトウェアとの相互置換性を明確に説明するために、さまざまな例示的な構成要素、ブロック、モジュール、回路、およびステップが、それらの機能の観点から一般的に記載された。それら機能がハードウェアとしてまたはソフトウェアとして実現されるかは、特定のアプリケーションおよびシステム全体に課せられている設計制約に依存する。当業者であれば、特定のアプリケーションおのおのに応じて変化する方式で、上述した機能を実現することができる。しかしながら、この適用判断は、本発明の範囲からの逸脱をもたらすものと解釈されるべきではない。
【００５７】
本明細書で開示される実施形態に関連して記載されるさまざまな例示的な論理ブロック、モジュール、および回路は、汎用プロセッサ、デジタル信号プロセッサ（ＤＳＰ）、特定用途向けＩＣ（ＡＳＩＣ）、フィールド・プログラマブル・ゲート・アレイ（ＦＰＧＡ）あるいはその他のプログラマブル論理デバイス、ディスクリート・ゲートまたはトランジスタ・ロジック、ディスクリート・ハードウェア構成要素、あるいは、本明細書に記載の機能を実行するために設計されたこれら任意の組み合わせによって実装または実行される。汎用プロセッサは、マイクロ・プロセッサでありうるが、代わりに、従来技術によるプロセッサ、コントローラ、マイクロコントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００５８】
１または複数の典型的な実施形態では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能な媒体と適切に称される。同軸ケーブル、光ファイバ・ケーブル、ツイスト・ペア、ＤＳＬ、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるようにディスク（ｄｉｓｋおよびｄｉｓｃ）は、コンパクト・ディスク（disc）（ＣＤ）、レーザ・ディスク（disc）、光ディスク（disc）、デジタル多用途ディスク（disc）（ＤＶＤ）、フロッピー（登録商標）ディスク（disk）、Ｂｌｕ−ｒａｙ（登録商標）ディスク（disc）を含む。ここで、ｄｉｓｋは通常、データを磁気的に再生し、ｄｉｓｃは、レーザを用いてデータを光学的に再生する。上記の組み合わせもまた、コンピュータ読取可能な媒体の範囲内に含まれるべきである。
【００５９】
開示された実施形態の上記記載は、当業者をして、本開示の製造または利用を可能とするように提供される。これら実施形態に対するさまざまな変形例もまた、当業者には明らかであって、本明細書で定義された一般的な原理は、本開示の主旨または範囲から逸脱することなく他の例にも適用されうる。このように、本開示は、本明細書で示された実施形態に限定されるものではなく、本明細書で開示された原理および新規な特徴に一致した最も広い範囲に相当することが意図されている。
【図１】
2014140198.tif 000003
【図２】
2014140198.tif 000004
【図３】
2014140198.tif 000005
【図４】
2014140198.tif 000006
【図５】
2014140198.tif 000007
【図６】
2014140198.tif 000008
【図７】
2014140198.tif 000009
【図８】
2014140198.tif 000010
【図９】
2014140198.tif 000011
【図１０】
2014140198.tif 000012
【図１１】
2014140198.tif 000013
【図１２】
2014140198.tif 000014
【手続補正書】
【提出日】平成26年3月31日(2014.3.31)
【手続補正１】
【補正対象書類名】明細書
【補正対象項目名】００５９
【補正方法】変更
【補正の内容】
【００５９】
開示された実施形態の上記記載は、当業者をして、本開示の製造または利用を可能とするように提供される。これら実施形態に対するさまざまな変形例もまた、当業者には明らかであって、本明細書で定義された一般的な原理は、本開示の主旨または範囲から逸脱することなく他の例にも適用されうる。このように、本開示は、本明細書で示された実施形態に限定されるものではなく、本明細書で開示された原理および新規な特徴に一致した最も広い範囲に相当することが意図されている。
以下に、出願当初の特許請求の範囲に記載された発明を付記する。
［発明１］
無線ネットワーク内のモバイル・エンティティ（ＭＥ）によって動作可能な方法であって、
前記ＭＥが、第１のサービス提供セルによってサービス提供されることに応じて、前記無線ネットワークからの支援データで提供されるタイミング・オフセットの第１のセットを受信することと、ここで、前記タイミング・オフセットの第１のセットは、第１の基準セルに関連している、
前記ＭＥが、第２のサービス提供セルへハンドオーバされることに応じて、前記タイミング・オフセットの第１のセットから、タイミング・オフセットの第２のセットを導出することと、ここで、前記タイミング・オフセットの第２のセットは、第２の基準セルに関連している、
を備える方法。
［発明２］
前記タイミング・オフセットの第２のセットを導出することは、前記第１の基準セルと前記第２の基準セルとの間のタイミング差をおのおののオフセットへ加えることを備える、発明１に記載の方法。
［発明３］
前記タイミング差は、前記無線ネットワークからの支援データに少なくとも部分的に基づく、発明２に記載の方法。
［発明４］
前記タイミング差は、ハンドオーバ手順の一部として前記ＭＥによってなされる測定に少なくとも部分的に基づく、発明２に記載の方法。
［発明５］
前記タイミング差は、ハンドオーバ手順に関連する前記無線ネットワークから受信される、発明２に記載の方法。
［発明６］
前記第１の基準セルは、前記第２の基準セルを備える、発明１に記載の方法。
［発明７］
前記タイミング・オフセットの第１のセットにしたがって、検出された第１の信号の、測定された到着時間差（ＴＤＯＡ）値を調節することをさらに備える、発明１に記載の方法。［発明８］
前記タイミング・オフセットの第２のセットにしたがって、検出された第２の信号の、測定された到着時間差（ＴＤＯＡ）値を調節することをさらに備える、発明１に記載の方法。［発明９］
前記検出された第２の信号の、測定されたＴＤＯＡ値を調節することは、
前記第２のサービス提供セルと前記第１の基準セルとの間の与えられたタイミング・オフセットを計算することと、
前記検出された第２の信号の、測定されたＴＤＯＡ値に、前記与えられたタイミング・オフセットを加えることと、
を備える発明８に記載の方法。
［発明１０］
前記タイミング・オフセットの第１のセットは、前記第１のサービス提供セルのネットワーク・インフラストラクチャ・エンティティから受信される、発明１に記載の方法。
［発明１１］
前記ネットワーク・インフラストラクチャ・エンティティは、イボルブド・サービス提供モバイル・ロケーション・センタ（Ｅ−ＳＭＬＣ）サーバを備える、発明１に記載の方法。
［発明１２］
前記Ｅ−ＳＭＬＣは、イボルブド・ノードＢ（ｅＮＢ）と動作可能に通信する、発明１１に記載の方法。
［発明１３］
装置であって、
（ａ）ＭＥが、第１のサービス提供セルによってサービス提供されることに応じて、無線ネットワークからの支援データで提供されるタイミング・オフセットの第１のセットを受信し、ここで、前記タイミング・オフセットの第１のセットは、第１の基準セルに関連している、
（ｂ）前記ＭＥが、第２のサービス提供セルへハンドオーバされることに応じて、前記タイミング・オフセットの第１のセットから、タイミング・オフセットの第２のセットを導出し、ここで、前記タイミング・オフセットの第２のセットは、第２の基準セルに関連している、
ように構成された少なくとも１つのプロセッサと、
前記少なくとも１つのプロセッサに接続されたメモリと、
を備える装置。
［発明１４］
前記少なくとも１つのプロセッサは、前記第１の基準セルと前記第２の基準セルとの間のタイミング差をおのおののオフセットへ加えることによって、前記タイミング・オフセットの第２のセットを導出する、発明１３に記載の装置。
［発明１５］
前記タイミング差は、前記無線ネットワークからの支援データに少なくとも部分的に基づく、発明１４に記載の装置。
［発明１６］
前記タイミング差は、ハンドオーバ手順の一部として前記ＭＥによってなされる測定に少なくとも部分的に基づく、発明１４に記載の装置。
［発明１７］
前記タイミング差は、ハンドオーバ手順に関連する前記無線ネットワークから受信される、発明１４に記載の装置。
［発明１８］
前記第１の基準セルは、前記第２の基準セルを備える、発明１３に記載の装置。［発明１９］
前記少なくとも１つのプロセッサは、前記タイミング・オフセットの第１のセットにしたがって、検出された第１の信号の、測定された到着時間差（ＴＤＯＡ）値を調節する、発明１３に記載の装置。
［発明２０］
前記少なくとも１つのプロセッサは、前記タイミング・オフセットの第２のセットにしたがって、検出された第２の信号の、測定された到着時間差（ＴＤＯＡ）値を調節する、発明１３に記載の装置。
［発明２１］
前記少なくとも１つのプロセッサは、
前記第２のサービス提供セルと前記第１の基準セルとの間の与えられたタイミング・オフセットを計算することと、
前記検出された第２の信号の、測定されたＴＤＯＡ値に、前記与えられたタイミング・オフセットを加えることと、
によって、前記検出された第２の信号の、測定されたＴＤＯＡ値を調節する、発明２０に記載の装置。
［発明２２］
前記少なくとも１つのプロセッサは、前記第１のサービス提供セルのネットワーク・インフラストラクチャ・エンティティから、前記タイミング・オフセットの第１のセットを受信する、発明１３に記載の装置。
［発明２３］
前記ネットワーク・インフラストラクチャ・エンティティは、イボルブド・サービス提供モバイル・ロケーション・センタ（Ｅ−ＳＭＬＣ）サーバを備える、発明２２に記載の装置。
［発明２４］
前記Ｅ−ＳＭＬＣは、イボルブド・ノードＢ（ｅＮＢ）と動作可能に通信する、発明２３に記載の装置。
［発明２５］
装置であって、
ＭＥが、第１のサービス提供セルによってサービス提供されることに応じて、無線ネットワークからの支援データで提供されるタイミング・オフセットの第１のセットを受信する手段と、ここで、前記タイミング・オフセットの第１のセットは、第１の基準セルに関連している、
前記ＭＥが、第２のサービス提供セルへハンドオーバされることに応じて、前記タイミング・オフセットの第１のセットから、タイミング・オフセットの第２のセットを導出する手段と、ここで、前記タイミング・オフセットの第２のセットは、第２の基準セルに関連している、
を備える装置。
［発明２６］
前記第１の基準セルと前記第２の基準セルとの間のタイミング差をおのおののオフセットへ加える手段をさらに備える、発明２５に記載の装置。
［発明２７］
前記タイミング差は、前記無線ネットワークからの支援データに少なくとも部分的に基づく、発明２６に記載の装置。
［発明２８］
前記タイミング差は、ハンドオーバ手順の一部として前記ＭＥによってなされる測定に少なくとも部分的に基づく、発明２６に記載の装置。
［発明２９］
前記タイミング差は、ハンドオーバ手順に関連する前記無線ネットワークから受信される、発明２６に記載の装置。
［発明３０］
前記第１の基準セルは、前記第２の基準セルを備える、発明２５に記載の装置。
［発明３１］
前記タイミング・オフセットの第１のセットにしたがって、検出された第１の信号の、測定された到着時間差（ＴＤＯＡ）値を調節する手段をさらに備える、発明２５に記載の装置。
［発明３２］
前記タイミング・オフセットの第２のセットにしたがって、検出された第２の信号の、測定された到着時間差（ＴＤＯＡ）値を調節する手段をさらに備える、発明２５に記載の装置。
［発明３３］
前記第２のサービス提供セルと前記第１の基準セルとの間の与えられたタイミング・オフセットを計算する手段と、
前記検出された第２の信号の測定されたＴＤＯＡ値に、前記与えられたタイミング・オフセットを加える手段と、
をさらに備える発明３２に記載の装置。
［発明３４］
前記第１のサービス提供セルのネットワーク・インフラストラクチャ・エンティティから、前記タイミング・オフセットの第１のセットを受信する手段をさらに備える、発明２５に記載の装置。
［発明３５］
前記ネットワーク・インフラストラクチャ・エンティティは、イボルブド・サービス提供モバイル・ロケーション・センタ（Ｅ−ＳＭＬＣ）サーバを備える、発明３４に記載の装置。
［発明３６］
前記Ｅ−ＳＭＬＣは、イボルブド・ノードＢ（ｅＮＢ）と動作可能に通信する、発明３５に記載の装置。
［発明３７］
コンピュータ・プログラム製品であって、
コンピュータに対して、
ＭＥが、第１のサービス提供セルによってサービス提供されることに応じて、無線ネットワークからの支援データで提供されるタイミング・オフセットの第１のセットを受信することと、ここで、前記タイミング・オフセットの第１のセットは、第１の基準セルに関連している、
前記ＭＥが、第２のサービス提供セルへハンドオーバされることに応じて、前記タイミング・オフセットの第１のセットから、タイミング・オフセットの第２のセットを導出することと、ここで、前記タイミング・オフセットの第２のセットは、第２の基準セルに関連している、
を実行させるためのコードを備えるコンピュータ読取可能な媒体を備える、コンピュータ・プログラム製品。
［発明３８］
前記コンピュータ読取可能な媒体はさらに、前記コンピュータに対して、前記第１の基準セルと前記第２の基準セルとの間のタイミング差をおのおののオフセットへ加えることを実行させるためのコードを備える、発明３７に記載のコンピュータ・プログラム製品。［発明３９］
前記タイミング差は、前記無線ネットワークからの支援データに少なくとも部分的に基づく、発明３８に記載のコンピュータ・プログラム製品。
［発明４０］
前記タイミング差は、ハンドオーバ手順の一部として前記ＭＥによってなされる測定に少なくとも部分的に基づく、発明３８に記載のコンピュータ・プログラム製品。
［発明４１］
前記タイミング差は、ハンドオーバ手順に関連する前記無線ネットワークから受信される、発明３８に記載のコンピュータ・プログラム製品。
［発明４２］
前記第１の基準セルは、前記第２の基準セルを備える、発明３７に記載のコンピュータ・プログラム製品。
［発明４３］
前記コンピュータ読取可能な媒体はさらに、前記コンピュータに対して、前記タイミング・オフセットの第１のセットにしたがって、検出された第１の信号の、測定された到着時間差（ＴＤＯＡ）値を調節することを実行させるためのコードを備える、発明３７に記載のコンピュータ・プログラム製品。
［発明４４］
前記コンピュータ読取可能な媒体はさらに、前記コンピュータに対して、前記タイミング・オフセットの第２のセットにしたがって、検出された第２の信号の、測定された到着時間差（ＴＤＯＡ）値を調節することを実行させるためのコードを備える、発明３７に記載のコンピュータ・プログラム製品。
［発明４５］
前記コンピュータ読取可能な媒体はさらに、
前記コンピュータに対して、
前記第２のサービス提供セルと前記第１の基準セルとの間の与えられたタイミング・オフセットを計算することと、
前記検出された第２の信号の、測定されたＴＤＯＡ値に、前記与えられたタイミング・オフセットを加えることと、
を実行させるためのコードを備える、発明４４に記載のコンピュータ・プログラム製品。
［発明４６］
前記タイミング・オフセットの第１のセットは、前記第１のサービス提供セルのネットワーク・インフラストラクチャ・エンティティから受信される、発明３７に記載のコンピュータ・プログラム製品。
［発明４７］
前記ネットワーク・インフラストラクチャ・エンティティは、イボルブド・サービス提供モバイル・ロケーション・センタ（Ｅ−ＳＭＬＣ）サーバを備える、発明４６に記載のコンピュータ・プログラム製品。
［発明４８］
前記Ｅ−ＳＭＬＣは、イボルブド・ノードＢ（ｅＮＢ）と動作可能に通信する、発明４７に記載のコンピュータ・プログラム製品。
【手続補正２】
【補正対象書類名】特許請求の範囲
【補正対象項目名】全文
【補正方法】変更
【補正の内容】
【特許請求の範囲】
【請求項１】
無線ネットワーク内のモバイル・エンティティ（ＭＥ）によって動作可能な方法であって、
前記ＭＥが、第１のサービス提供セルによってサービス提供されることに応じて、前記無線ネットワークからの支援データで提供されるタイミング・オフセットの第１のセットを受信することと、ここで、前記タイミング・オフセットの第１のセットは、第１の基準セルに関連している、
前記ＭＥが、第２のサービス提供セルへハンドオーバされることに応じて、前記タイミング・オフセットの第１のセットから、タイミング・オフセットの第２のセットを導出することと、ここで、前記タイミング・オフセットの第２のセットは、第２の基準セルに関連している、
を備える方法。
【外国語明細書】
2014140198000001.pdf